(57)【要約】【課題】就寝時に身体に掛けられ掛け布具と身体の胴や手足の間に隙間が生じないようにして、隙間内の冷たい空気により安眠が妨げられることを防止できる掛け布具を提供する。【解決手段】毛布１０は、毛布本体１１と、その身体と接触する表面側に柔軟な素材で形成された仕切り片部１３を有する布材１２を取り付けたものである。布材１２は、毛布本体１１と同一の大きさで、柔軟性があり断熱性の高い縦長の薄布であり、その幅方向の複数個所に長手方向両端間に延びたリボン状の仕切り片部１３が配設されて表面から一体で突出している。【選択図】図１
2008173274.tif 000002
【特許請求の範囲】
【請求項１】
就寝時に身体に掛ける縦長の毛布、布団等の掛け布具であって、身体に接触する表面側の幅方向の複数個所にて長手方向に延びるように配設されて該表面から一体で突出した複数の長尺状の柔軟な仕切り片部を設けたことを特徴とする掛け布具。
【請求項２】
前記仕切り片部が、長手方向一端から他端に延びたものであることを特徴とする請求項１に記載の掛け布具。
【請求項３】
複数の前記仕切り片部が、長手方向の一端と他端から交互に延びて先端が中間で途切れた端仕切り片部であり、該端仕切り片の先端側が互いに重複していることを特徴とする請求項１に記載の掛け布具。
【請求項４】
複数の前記仕切り片部が、長手方向両端から延びて中間で途切れた両端仕切り片部と、長手方向中間に配置された中間仕切り片部とが交互に配置されてなり、該両端仕切り片部と中間仕切り片部の先端側が互いに重複していることを特徴とする請求項１に記載の掛け布具。
【請求項５】
前記仕切り片部が、長手方向に波状に形成されたものであることを特徴とする請求項１から４のいずれか１項に記載の掛け布具。
【請求項６】
前記仕切り片部を設けた布材が、毛布、布団等の表面側に一体で取り付けられたことを特徴とする請求項１から５のいずれか１項に記載の掛け布具。
【請求項７】
前記仕切り片部が、毛布、布団等の表面側に該毛布、布団等から一体で突出して設けられたものであることを特徴とする前記請求項１から５のいずれか１項に記載の掛け布具。
【発明の詳細な説明】
【技術分野】
【０００１】
本発明は、就寝時に身体に掛ける縦長の毛布、布団等の掛け布具に関する。
【背景技術】
【０００２】
毛布、布団等の掛け布具は、就寝時に身体に掛けられるが、その際、掛け布具と、身体を横たえる敷布団、カーペット等の敷き布具と、身体の胴や手足との間に大きな隙間が生じやすい。そのため、就寝者が隙間内の冷たい空気により寒さを感じて安眠を妨げられる、という問題がある。これに対して、例えば特許文献１に示すように、毛布の頭部側が位置する上縁部であって、身体に接する内側部に、首部を除き、両隅部に袋状を形成するように上縁部から側縁部に亘って逢着した実質的に三角形状の肩覆いを夫々設けてある毛布が開示されている。この毛布によれば、就寝中に寝返りを打った際に、肩部が、袋状となった三角形状の肩覆いに嵌まり込んでいるため、その状態のまま肩覆いと共に横向き姿勢に肩が移動し、その結果、肩部が毛布から外れて露出してしまうおそれがなく、体が冷えて風邪を引いたりすることを未然に回避できるというものである。しかし、この毛布によっても、敷き布具及び掛け布具と身体の胴や手足の間に大きな隙間が生じる不具合を回避することは困難であり、そのために、隙間内の冷たい空気によって安眠が妨げられるという問題を避けることが困難である。
【特許文献１】実用新案登録第３１０３９９９号公報
【発明の開示】
【発明が解決しようとする課題】
【０００３】
本発明は、上記問題を解決しようとするもので、就寝時に身体に掛けられ掛け布具と身体の胴や手足の間に大きな隙間が生じないようにして、隙間内の冷たい空気により安眠が妨げられることを防止できる掛け布具を提供することを目的とする。
【課題を解決するための手段】
【０００４】
上記目的を達成するために、本発明の構成上の特徴は、就寝時に身体に掛ける縦長の毛布、布団等の掛け布具であって、身体に接触する表面側の幅方向の複数個所にて長手方向に延びるように配設されて表面から一体で突出した複数の長尺状の柔軟な仕切り片部を設けたことにある。
【０００５】
上記のように構成した本発明においては、就寝する者の身体に掛け布具を掛けることにより、身体に接触する表面側に配設された複数の長尺リボン状の仕切り片部のいずれかが身体の胴や手足に沿って配置され、胴や手足と掛け布具裏面及び敷き布具との隙間に介在するようになる。そのため、胴や手足の周囲の空気が介在する隙間がほとんどなくされる。その結果、本発明においては、隙間内の冷たい空気により安眠が妨げられる不具合を有効に防止できる。また、就寝する者が寝返り等によって身体を動かしても、いずれかの仕切り片部が胴や手足に沿って配置されることになるため、このような寝返り等によっても、隙間内の冷たい空気により安眠が妨げられる不具合を防止できる効果は妨げられない。
【０００６】
また、本発明においては、仕切り片部が、長手方向一端から他端に延びたものとすることができる。これにより、就寝する者が身体をどのように曲げてもいずれかの仕切り片部が、胴や手足と掛け布具裏面及び敷き布具との隙間に介在するため、胴や手足の周囲の空気が介在する隙間がほとんどなくされる。
【０００７】
また、本発明においては、複数の前記仕切り片部が、長手方向の一端と他端から交互に延びて先端が中間で途切れた端仕切り片部であり、端仕切り片の先端側が互いに重複していることができる。これによっても、身体の姿勢に応じていずれかの端仕切り片部が、胴や手足と掛け布具裏面及び敷き布具との隙間に介在するため、胴や手足の周囲の空気が介在する隙間がほとんどなくされる。
【０００８】
また、本発明において、複数の前記仕切り片部が、長手方向両端から延びて中間で途切れた両端仕切り片部と、長手方向中間に配置された中間仕切り片部とが交互に配置されてなり、両端仕切り片部と中間仕切り片部の先端側が互いに重複しているものであってもよい。これによっても、身体の姿勢に応じていずれかの端仕切り片部が、胴や手足と掛け布具裏面及び敷き布具との隙間に介在するため、胴や手足の周囲の空気が介在する隙間がほとんどなくされる。
【０００９】
また、本発明において、仕切り片部が、長手方向に波状に形成されたものであるものであってもよい。これによっても、身体の姿勢に応じて波状に形成されたいずれかの仕切り片部が、胴や手足と掛け布具裏面及び敷き布具との隙間に介在するため、胴や手足の周囲の空気が介在する隙間がほとんどなくされる。
【００１０】
また、本発明において、仕切り片部を設けた布材が、毛布、布団等の表面側に一体で取り付けられたものであってもよい。これにより、毛布等とは別個に設けた仕切り片部を有する布材を毛布、掛け布団等に縫い付ける等により簡単に取り付けることができる。そのため、既存の毛布、掛け布団を利用して、本発明の効果を簡易に得ることができるので便利である。
【００１１】
また、本発明において、仕切り片部が、毛布、布団等の表面側に該毛布、布団等から一体で突出して設けられたものであってもよい。これによっても、胴や手足と掛け布具裏面及び敷き布具との隙間に仕切り片部が介在することにより、その隙間が仕切られて胴や手足の周囲の空気が介在する隙間がほとんどなくされ、隙間内の冷たい空気により安眠が妨げられる不具合が有効に防止される。
【発明の効果】
【００１２】
本発明によれば、就寝する者の身体に掛け布具を掛けることにより、身体に接触する表面側に配設された複数の長尺状の仕切り片部のいずれかが身体の胴や手足に沿って配置され、胴や手足と掛け布具裏面及び敷き布具との隙間に介在することにより、胴、手足の周囲の空気の介在する隙間をほとんどなくすことができる。その結果、本発明においては、隙間内の冷たい空気により安眠が妨げられる不具合を有効に防止でき、特に外気温の低い冬季に掛け布具を用いると有効である。この効果は、就寝する者が寝返り等により身体を動かしても変わらずに維持される。
【発明を実施するための最良の形態】
【００１３】
以下、本発明の一実施例について図面を用いて説明する。図１，図２，図３は、実施例に係る掛け布具である毛布を斜視図、長手方向から見た側面図、正面図により概略的に示し、図４は毛布の使用状態を説明図により概略的に示したものである。毛布１０は、通常の毛布である毛布本体１１と、その身体と接触する一表面側に縫い付けられた柔軟な素材で形成された布材１２とを一体で有しており、布材１２の表面には複数のリボン状の仕切り片部１３を設けている。
【００１４】
布材１２は、毛布本体１１と同一の大きさで、柔軟性があり断熱性の高い例えばポリエステル繊維からなるフリース製の縦長の薄布であり、その幅方向の複数個所に長手方向両端間に延びたリボン状の仕切り片部１３が配設されて表面から一体で突出している。仕切り片部１３は、上記薄布を折り曲げて縫い付けることにより形成されるが、これに限られるものではない。また、布材１２の素材についても、フリースに限らず、柔軟性を有する他の材質のものでもよい。
【００１５】
上記実施例においては、図４に示すように、就寝する者の身体Ｂに毛布１０を掛けることにより、身体Ｂに接触する表面側に配設された布材１２に設けた複数の長尺リボン状の仕切り片部１３のいずれかが身体Ｂの胴や手足に沿って配置される。それにより、胴や手足と毛布１０の裏面及び敷き布団１との間の隙間に介在するようになる。そのため、図４に示すように、胴や手足の周囲の空気が介在する隙間がほとんどなくされる。その結果、本実施例においては、隙間内の冷たい空気により安眠が妨げられる不具合を有効に防止でき、特に毛布１０を外気温の低い冬季に用いると有効である。また、就寝する者が寝返り等によって身体Ｂを動かしても、いずれかの仕切り片部１３が胴や手足に沿って配置されることになるため、このような寝返り等によっても、隙間内の冷たい空気により安眠が妨げられる不具合を防止できる効果が妨げられることはない。なお、毛布１０については、胴や手足と毛布１０の裏面及び敷き布団１との間に介在する隙間が問題にならないような場合は、毛布１０の逆の面を身体に被せて使用することも可能である。
【００１６】
なお、上記実施例においては、毛布１０が毛布本体１１にリボン状の仕切り片部１３が形成された布材１２を縫い付けて構成されているが、これに代えて図５に示すように、毛布本体１１自体を折り曲げて複数のリボン状の突出片を形成して縫いつけることにより仕切り片部１４を一体で形成したものであってもよい。
【００１７】
また、布材１２に形成される仕切り片部として、リボン状に限らず、図６に示すように、幅方向に間隔を隔てて長手方向に突出した山状の仕切り片部１５とすることもでき、また図７に示すように連続した山状の仕切り片部１６とすることもできる。さらに、図８に示すように、毛布本体１１の両面において仕切り片部１５，１６を有する布材１２を縫い付けるようにすることもでき、これにより毛布の両面を有効に使用することができる。
【００１８】
また、上記実施例においては、仕切り片部１３は、縦長の布材１２の長手方向両端間に延びているが、これに限らず図９に示すように、布材２２の長手方向の一端と他端から交互に延びて先端が長手方向の中央で交差して途中まで延びる形態の端仕切り片部２３としてよい。各端仕切り片部２３の先端は互いに重複した部分２３ａを有している。これによっても、毛布２１の長手方向のいずれかの部分に必ず端仕切り片部２３があるので、端仕切り片部２３のいずれかが身体Ｂの胴や手足に沿って配置される。そのため、胴や手足の周囲において空気の介在する隙間がほとんどなくされる。
【００１９】
また、図１０に示すように、縦長の布材２６の幅方向の複数個所にて長手方向両端から中央側に全体の略１／３程度延びて両先端間が離間した一対の両端仕切り片部２７を複数個所に設け、これら各両端仕切り片２７の幅方向の中間でかつ長手方向中間において、長手方向に延びて両端仕切り片部２７の先端部分２７ａと重複した先端部分２８ａを有する中間仕切り片部２８を設けることもできる。これによっても、毛布２５の長手方向のいずれかの部分に必ず仕切り片部２７，２８があるので、仕切り片部２７，２８のいずれかが身体Ｂの胴や手足に沿って配置される。そのため、胴や手足の周囲において空気の介在する隙間がほとんどなくされる。さらに、上記実施例においては、布材に設けた仕切り片部はいずれも長手方向に真直ぐになっているが、これに代えて図１１に示すように、布材３１に波状の仕切り片部３２に形成することも可能である。また、仕切り片部を波状にすることについては、上記図９、図１０の場合にも同様に適用される。
【００２０】
なお、上記実施例においては、仕切り片部を設けた布材を毛布に縫いつけた例を示したが、これに限らず掛け布団の裏面に布材を取り付けることもできる。その他、上記実施例に示した掛け布具の具体的構造等については一例であり、本発明の趣旨を逸脱しない範囲で、種々変更して実施することが可能である。
【産業上の利用可能性】
【００２１】
本発明の掛け布具は、就寝時に身体に掛け布具を掛けることにより、身体に被せられる表面に配設された複数の長尺リボン状の仕切り片部のいずれかが身体の胴や手足に沿って配置され、胴や手足と掛け布具裏面及び敷き布具との隙間に介在することにより、胴や手足の周囲に空気の介在する隙間がほとんどなくされ、その結果、隙間内の冷たい空気により安眠が妨げられる不具合を有効に防止できるので、有用である。
【図面の簡単な説明】
【００２２】
【図１】本発明の一実施例である毛布の概略構成を示す斜視図である。
【図２】同毛布を示す長手方向から見た側面図である。
【図３】同毛布を示す正面図である。
【図４】同毛布の使用状態を示す説明図である。
【図５】毛布の他の例を示す長手方向から見た側面図である。
【図６】毛布の他の例を示す長手方向から見た側面図である。
【図７】毛布の他の例を示す長手方向から見た側面図である。
【図８】毛布の他の例を示す長手方向から見た側面図である。
【図９】布材に設ける仕切り片部の変形例を示す正面図である。
【図１０】布材に設ける仕切り片部の変形例を示す正面図である。
【図１１】布材に設ける仕切り片部の変形例を示す正面図である。
【符号の説明】
【００２３】
１０，２１，２５…毛布、１１…毛布本体、１２，２２，２６，３１…布材、１３，１４，１５，１６…仕切り片部、２３…端仕切り片部、２７…両端仕切り片部、２８…中間仕切り片部、３２…仕切り片部。
【図１】
2008173274.tif 000003
【図２】
2008173274.tif 000004
【図３】
2008173274.tif 000005
【図４】
2008173274.tif 000006
【図５】
2008173274.tif 000007
【図６】
2008173274.tif 000008
【図７】
2008173274.tif 000009
【図８】
2008173274.tif 000010
【図９】
2008173274.tif 000011
【図１０】
2008173274.tif 000012
【図１１】
2008173274.tif 000013